(57)【要約】  本発明は、船舶１の燃焼機関３０用の排気システム２４に関する。排気システム２４は、排気システム入口に向かって逆流方向に流れる液体の流れを制限するための、排気ガス流路内の流れ方向変更構成４８、５０、５６を有する。流れ方向変更構成は、液体の第１の細流を液体の流れの第２の細流と衝突させるように順流方向に方向変更させるように構成された少なくとも１つの流れ方向変更機能部を有する。これにより、乱流が生じ、流入する液体の運動エネルギーが散逸する。また、本発明は、上記排気システムを有するモータアセンブリ及び船舶に関する。【選択図】図３
2021523059.tif 000002
【特許請求の範囲】
【請求項１】
船舶の燃焼機関のための排気システムであって、
前記排気システムは、
前記燃焼機関の排気ガス出口に連結されるように構成された排気システム入口と、
一つ以上の排気システム出口と、
排気システム入口から前記一つ以上の排気システム出口に延びる排気ガス流路であって、前記排気システム入口から前記一つ以上の排気システム出口に向かう順流方向と、前記一つ以上の排気システム出口のうちの少なくとも１つの排気システム出口から前記排気システム入口に延びる逆流方向とを有する排気ガス流路と、
前記逆流方向に流れる液体の流れを制限するための前記排気ガス流路の中の流れ方向変更構成であって、前記液体の第１の細流を前記液体の第２の細流に衝突させるように前記順流方向に方向変更させるように構成された、少なくとも１つの流れ方向変更機能部を有する、流れ方向変更構成とを備える、排気システム。
【請求項２】
前記少なくとも１つの流れ方向変更機能部は、前記液体の流れを前記第１の細流と前記第２の細流に分割するように構成される、請求項１に記載の排気システム。
【請求項３】
前記流れ方向変更構成は、前記排気システム内で静止している、請求項１又は２に記載の排気システム。
【請求項４】
前記排気システムは、前記排気ガス流路内に配置されたチャンバを備え、前記少なくとも１つの流れ方向変更機能部が、前記チャンバ内に位置決めされた少なくとも１つのチャンバ流れ方向変更機能部を備える、請求項１〜３のいずれか一項に記載の排気システム。
【請求項５】
前記少なくとも１つのチャンバ流れ方向変更機能部は、前記液体の流れを前記第１の細流と前記第２の細流に分割するように構成された第１のチャンババッフル部材を備える、請求項４に記載の排気システム。
【請求項６】
前記第１のチャンババッフル部材はバッフルプレートである、請求項５に記載の排気システム。
【請求項７】
前記第１のチャンババッフル部材が、前記第１の細流を前記第１のチャンババッフル部材の第１の側に方向付けかつ前記第２の細流を前記第１のチャンババッフル部材の第２の側に方向付けるように構成される、請求項５又は６に記載の排気システム。
【請求項８】
前記第１のチャンババッフル部材は、前記第１の細流を、前記第１の側に沿って前記バッフル部材を通過させるように案内し、前記第２の細流を、前記バッフル部材から離れるように、前記バッフル部材への接近時に前記液体の流れ方向に対して実質的に横方向に方向付けるように構成される、請求項７に記載の排気システム。
【請求項９】
前記少なくとも１つのチャンバ流れ方向変更機能部は、前記チャンバの第１の表面によって画定される凹み領域をさらに有し、前記第１のチャンババッフル部材は、前記第１の細流を前記凹み領域に案内するように構成され、前記凹み領域は、前記第１の細流を前記前記第２の細流に向かって戻して衝突させるように方向付けるように構成される、請求項７又は８に記載の排気システム。
【請求項１０】
前記チャンバは、排気システム入口に接続されることによって排気ガス入口開口を画定する第１の表面を有し、前記第１のチャンババッフル部材は、前記第１の細流を前記第１の側に沿って前記排気ガス入口開口から離れるように案内するように構成される、請求項５〜９のいずれか一項に記載の排気システム。
【請求項１１】
前記少なくとも１つのチャンバ流れ方向変更機能部は、前記排気ガス入口開口に隣接しかつ前記第１の表面から実質的に離れて延在する、第２のチャンババッフル部材を備える、請求項１０に記載の排気システム。
【請求項１２】
前記少なくとも１つのチャンバ流れ方向変更機能部は、前記逆流方向に流れる液体を前記排気システム入口から離れるように方向変更するように構成された第３のチャンババッフル部材をさらに備える、請求項５〜１１のいずれか一項に記載の排気システム。
【請求項１３】
前記チャンバが、その中に排気ガス出口開口を画定する第２の表面を備え、前記第３のチャンババッフル部材が、前記排気ガス出口開口に隣接しかつ前記第２の表面から実質的に離れて延在する、請求項１２に記載の排気システム。
【請求項１４】
前記排気ガス入口開口を通る軸線方向の流れ方向は、前記排気ガス出口開口を通る軸線方向の流れ方向からオフセットされている、請求項１１に従属する場合の請求項１３に記載の排気システム。
【請求項１５】
前記排気システムは、前記排気ガス流路の前記順流方向に沿った前記排気システム入口の下流側にある入口導管を備え、前記少なくとも１つの流れ方向変更機能部は、前記入口導管内において少なくとも１つの導管流れ方向変更機能部を備える、請求項１〜１４のいずれか一項に記載の排気システム。
【請求項１６】
前記少なくとも１つの導管流れ方向変更機能部は、前記入口導管の内壁上に形成された導管流れ方向変更機能部を有する、請求項１５に記載の排気システム。
【請求項１７】
前記導管流れ方向変更機能部は、前記入口導管の前記内壁から離れて延在する複数の突起部の配列を有する、請求項１６に記載の排気システム。
【請求項１８】
前記複数の突起部の配列は、前記入口導管の前記内壁から順流方向に離れて延在する、請求項１７に記載の排気システム。
【請求項１９】
前記複数の突起部の配列は、前記入口導管の対向する複数の内壁上に設けられる、請求項１７又は１８に記載の排気システム。
【請求項２０】
前記複数の突起部の配列は、前記入口導管の前記内面の実質的に全長にわたって延在する、請求項１７〜１９のいずれか一項に記載の排気システム。
【請求項２１】
前記導管流れ方向変更機能部は、前記入口導管の内壁の複数の凹部の配列を有する、請求項１６〜２０のいずれか一項に記載の排気システム。
【請求項２２】
前記複数の凹部の配列は、前記入口導管の対向する複数の内壁に設けられる、請求項２１に記載の排気システム。
【請求項２３】
前記複数の凹部の配列は、前記入口導管の前記内面の実質的に全長にわたって延在する、請求項２１又は２２に記載の排気システム。
【請求項２４】
前記少なくとも１つの導管流れ方向変更機能部は、前記入口導管内に設けられた少なくとも１つの入口導管バッフルプレートを備える、請求項１５〜２３のいずれか一項に記載の排気システム。
【請求項２５】
前記入口導管は、前記排気システム内に取り外し可能に取り付けられる、請求項１５〜２４のいずれか一項に記載の排気システム。
【請求項２６】
船舶用モータアセンブリであって、前記船舶用モータアセンブリは、排気ガス出口を画定する船舶用エンジンと、請求項１〜２５のいずれかに記載の排気システムとを備え、前記排気システム入口が前記船舶用エンジンの前記排気ガス出口に連結されている、船舶用モータアセンブリ。
【請求項２７】
請求項２６に記載の船舶用モータアセンブリを備える船舶。
【発明の詳細な説明】
【技術分野】
【０００１】
本発明は、船舶の排気システム、及び／又は、船舶のモータアセンブリ、及び／又は、船舶に関する。
【背景技術】
【０００２】
船舶を推進するために、船外機が船尾部に取り付けられることが多い。この船外機は、一般に、内燃機関を有する上側の発動機と、プロペラハブを有する下側部分と、上側部分から下側部分へ排気ガスを輸送するための排気ガス流路を画定する中間部分の３つの部分から形成される。
【０００３】
このような船外機は、典型的には、その排気ガスの大部分を、下側部分のプロペラハブ出口を通して水中に排出する。追加の複数の排気ガス出口を水位線の下方及び上方の両方に設けることができ、これら出口を通して、プロペラハブを通って排出されない残りの排気ガスが出ることができる。
【０００４】
船舶が静止しているとき、水位は、典型的には、エンジンの下にある。しかしながら、船舶が急激に前進運動からニュートラル又は後進運動に移るとき、船舶の後方の後進波が船外機に急速に到達しえ、これにより、船外機内の水位、具体的には船外機の中央部分内の水位が上昇する。このような水位の上昇は、外因からの波が船外機に到着した場合や、静止している船舶が急激に急速に逆転した場合にも起こりうる。この中間部分内の水位の上昇で、いくつかの問題を引き起こす可能性がある。一方、排気流路で作り出される急激な背圧によって、内燃機関が失速することがある。上記の現象で、潜在的に内燃機関の中に水が侵入する可能性もある。船舶用エンジンの排気出口に侵入する水の記載された現象は、船内の船舶用エンジンにも同様に当てはまる。
【発明の概要】
【発明が解決しようとする課題】
【０００５】
本発明は、従来技術に関連する１つ以上の課題を克服又は少なくとも緩和することを目的とする。
【課題を解決するための手段】
【０００６】
本発明の第１の態様によれば、船舶の燃焼機関のための排気システムであって、前記排気システムは、前記船舶の燃焼機関の排気ガス出口に連結されるように構成された排気システム入口と、一つ以上の排気システム出口と、前記排気システム入口から前記一つ以上の排気システム出口に延びる排気ガス流路とを備え、排気ガス流路は、前記排気システム入口から前記一つ以上の排気システム出口に向かう順流方向と、前記一つ以上の排気システム出口のうちの少なくとも１つの出口から前記排気システム入口に延びる逆流方向と、前記逆流方向に流れる液体の流れを制限するための前記排気ガス流路内の流れ方向変更構成とを備え、前記流れ方向変更構成は、前記液体の第１の細流を前記順流方向に方向変更させて液体の第２の細流に衝突させるように構成された少なくとも１つの流れ方向変更機能部を備える、排気システムが提供される。
【０００７】
有利には、逆流方向に沿って流れる液体を制限及び方向変更することで、この液体が排気システム入口から流出し、内燃機関に流入する可能性を減少させる。これにより、内燃機関の失速の可能性を減少させるように働き、及び／又は、液体の内燃機関内への流入による内燃機関の損傷が発生する可能性を減少させる。
【０００８】
排気システムは、逆流方向に排気システムに入る液体を、一つ以上の排気システム出口のうちの少なくとも１つに向かって方向変更させるように構成される。
【０００９】
有利には、これは、１つ以上の出口を介して排気システムに流れる液体のためのより曲がりくねった経路を作り出し、液体の流れをこの１つ以上の出口に向かって逆流させるように方向変更させる。これにより、さらに、液体が１つ以上の出口から内燃機関内に流れる可能性を最小化する。
【００１０】
排気システムは、排気システム内を逆流方向に流れる液体を複数の細流に分割し、この複数の細流のうちの少なくとも１つの細流を複数の細流のうちの少なくとも１つの他の細流に向かって戻すように方向付けるように構成することができる。少なくとも１つの流れ方向変更機能部は、液体の流れを第１の細流と第２の細流に分割するように構成されうる。
【００１１】
液体の流れを複数の細流に分割し、次いで、該細流を衝突させることで、逆流方向に流れる液体の中で乱流を生じさせ、これにより、流入する逆流のエネルギーを消散させる。
【００１２】
流れ方向変更構成は、排気システム内で静止しているものでよい。静止した流れ方向変更構成を提供することは、排気システムが、可動部品を組み込むことなく、逆流方向に流れる液体の流れを順流方向に方向変更させることができる、すなわち、標準的な逆流防止弁が排気システムに不要であるということを意味する。
【００１３】
チャンバが排気ガス流路内に配置されうる。少なくとも１つの流れ方向変更機能部は、チャンバ内に位置する少なくとも１つのチャンバ流れ方向変更機能部を有しうる。少なくとも１つの流れ方向変更機能部は、逆流方向に流れる液体を、１つ以上の排気システム出口のうちの少なくとも１つに向かって方向変更するように構成される。
【００１４】
有利には、これは、チャンバを通って排気システム入口に向かって流れる（すなわち、排気流路に沿って逆流方向に流れる）液体のためのより曲がりくねった経路を作り出し、したがって、逆流方向に流れる液体が排気システム入口と内燃機関のチャンバ内に流れる可能性を減少させる。
【００１５】
少なくとも１つのチャンバ流れ方向変更機能部は、液体の流れを第１の細流と第２の細流に分割するように構成された第１のチャンババッフル部材を有しうる。
【００１６】
有利には、これは、排気システム入口に向かう流路に沿ったより曲がりくねった経路を作り出し、液体が排気システムから内燃機関内に流入する可能性を減少させる。
【００１７】
第１のチャンババッフル部材は、バッフルプレートとしうる。
【００１８】
第１のチャンババッフル部材は、液体の流れの第１の細流をバッフル部材の第１の側に方向付け、液体の流れの第２の細流をバッフル部材の第２の側に方向付けるように構成されうる。
【００１９】
第１のチャンババッフル部材は、液体の流れの第１の細流を第１の側に沿って案内してバッフル部材を通過させ、液体の流れの第２の細流をバッフル部材から離れるように方向付けるように構成されうる。チャンババッフル部材は、液体の流れの第２の細流をバッフル部材から離れ、バッフル部材への接近時の液体の流れ方向に対して実質的に横方向に方向付けるように構成されうる。
【００２０】
少なくとも１つのチャンバ流れ方向変更機能部は、チャンバの第１の表面によって画定される凹み領域をさらに有しうる。第１のチャンババッフル部材は、第１の細流を凹み領域に案内するように構成されてもよく、凹み領域は、第１の細流を第２の細流に向かって戻してそれに衝突させるように方向付けるように構成される。
【００２１】
チャンバは、排気ガス入口開口と排気ガス出口開口とを有してもよく、排気ガス入口開口を通る軸線方向の流れ方向は、排気ガス出口開口を通る軸線方向の流れ方向からオフセットされている。当該実施形態において、第１のチャンババッフル部材は、好ましくは、排気ガス出口開口を通る軸線方向の流れ方向と整列され、排気ガス入口開口を通る軸線方向の流れ方向からオフセットされる。このようにして、第１のチャンババッフル部材は、逆流方向に流れる液体の流れとより容易に相互作用することができつつ排気ガスの順方向の流れに対して大きな障害を与えない。
【００２２】
チャンバは、チャンバが排気システム入口に接続されることによって排気ガス入口開口を画定する第１の表面を有してもよく、第１のチャンババッフル部材は、第１の細流を第１の側に沿って排気ガス入口開口から離れるように案内するように構成される。
【００２３】
少なくとも１つのチャンバ流れ方向変更機能部は、逆流方向に流れる液体を１つ以上の排気システム出口のうちの少なくとも１つに向かって方向変更するように構成された第２のチャンババッフル部材を備えることができる。
【００２４】
有利には、これは、一つ以上の排気システム出口を通って入って排気システム入口に向かって逆流方向に流れる液体のためのより曲がりくねった経路を作り出す。
【００２５】
チャンバは、排気ガス入口開口を画定する第１の表面を備えうる。第２チャンババッフル部材は、排気ガス入口開口に隣接していてもよく、第１の表面から実質的に離れて延在していてもよい。
【００２６】
第２チャンババッフル部材を第１の表面上に設けることは、有利には、液体が第１の表面に沿って入口開口を通って流れないようにする障壁を形成する。第２バッフル部材は、効果的に、第１のチャンバ表面上に凹み領域を形成し、凹み領域に流入する液体は、入口開口から離れるように方向変更させられる。
【００２７】
少なくとも１つのチャンバ流れ方向変更機能部は、逆流方向に流れる液体を排気システム入口から離れるように方向変更するように構成された第３のチャンババッフル部材を有しうる。
【００２８】
チャンバは、その中に排気ガス出口開口を画定する第２の表面を有しうる。第３のバッフル部材は、排気ガス出口開口に隣接していてもよく、第２の表面から実質的に離れて延在していてもよい。
【００２９】
有利には、第３バッフル要素は、排気システムハウジングの壁と組み合わせて出口開口の周囲にチャネルを形成するように、出口開口に近接して延在する。この構成により、逆流する液体を排気システム入口から離れる方向に流す。
【００３０】
排気ガス入口開口を通る軸線方向流れ方向は、排気ガス出口開口を通る軸線方向流れ方向からオフセットされうる。
【００３１】
排気システムは、排気ガス流路の順流方向に沿って排気システム入口の下流側にある入口導管を備えることができる。少なくとも１つの流れ方向変更機能部は、入口導管内に少なくとも１つの導管流れ方向変更機能部を備えることができる。当該実施形態において、少なくとも１つの導管流れ方向変更機能部は、排気ガス流路に沿って逆流方向に流れる液体を１つ以上の排気システム出口のうちの少なくとも１つに向かって方向変更するように構成することができる。
【００３２】
この構成により、チャンバから入口に向かって流れる液体の曲がりくねった経路を作ることによって、排気ガス入口に向かう流れをさらに制限する。流れ方向変更構成は、排気ガス流路に沿って順流方向に流れる排気ガスに実質的に抵抗を与えないように構成することができる。排気ガスの流れを妨げる障害物がないことを保証することで、排気システム内に圧力低下／圧力差が存在する可能性を減少させる。
【００３３】
少なくとも１つの導管流れ方向変更機能部は、入口導管の内壁上に形成された導管流れ方向変更機能部を備えることができる。流れ方向変更機能部を導管壁の構成要素として提供することで、導管流れ方向変更機能部の製造工程、ひいては全体として導管の製造工程を容易にする。
【００３４】
導管流れ方向変更機能部は、入口導管の内壁から離れて延在する複数の突起部の配列を有しうる。複数の突起部の配列は、入口導管の内壁から順流方向に離れて延在しうる。これにより、排気ガス流路に沿った逆流方向の流れ遅延をさらに増す。
【００３５】
複数の突起部の配列は、入口導管の対向する複数の内壁上に設けられうる。複数の突起部の配列は、入口導管の内面の実質的に全長にわたって延在しうる。
【００３６】
導管流れ方向変更機能部は、入口導管の内壁内で複数の凹部の配列を有しうる。これにより、さらに、入口に向かう方向への液体の流れを制限する。複数の凹部の配列は、入口導管の対向する複数の内壁上に設けることができる。複数の凹部の配列は、入口導管の内面の実質的に全長にわたって延在しうる。
【００３７】
少なくとも１つの導管流れ方向変更機能部は、入口導管内に設けられた少なくとも１つの入口導管バッフルプレートを備えることができる。
【００３８】
入口導管は、排気システム内に取り外し可能に取り付けられうる。有利には、この構成により、入口導管を修理及び／又は交換のために取り外すことができる。加えて、それにより、入口導管を、異なる材料から排気システムハウジングの残りの部分まで形成することが可能となる。
【００３９】
本発明の第２の態様によれば、船舶用のモータアセンブリであって、該モータアセンブリは、排気ガス出口を画定する船舶用エンジンと、第１の態様に係る排気システムとを備え、該排気システム入口は船舶用エンジンの排気ガス出口に連結されている、船舶用のモータアセンブリが提供される。
【００４０】
本発明の第３の態様によれば、第２の態様によるモータアセンブリを備える船舶が提供される。
【００４１】
本出願の範囲内において、先の段落、特許請求の範囲、及び／又は、以下の説明及び図面に示された種々の態様、実施態様、実施例及び代替案、特にその個々の特徴は、独立して又は任意の組合せで理解されうることが明確に意図されている。すなわち、全ての実施例、及び／又は、任意の実施例の特徴は、そのような特徴が互換性を有していない限り、任意の方法及び／又は組合せで組み合わせることができる。出願人は、最初に特許請求されていない場合であっても、任意の他の請求項に従属するように、かつ／又は、任意の他の請求項の任意の特徴を組み込むように、最初に提出された請求項を補正する権利を留保する。
【００４２】
本発明の実施の形態を添付図面を参照しつつ単なる例として説明する。
【図面の簡単な説明】
【００４３】
【図１】図１は船外機アセンブリを備える小型船舶の概略側面図である。
【図２ａ】図２ａは、その傾斜位置における船外機アセンブリの模式図である。
【図２ｂ】図２ｂは船外機アセンブリの種々の位置調整された位置及び水域内の船舶の対応する方向を示す。
【図２ｃ】図２ｃは船外機アセンブリの種々の位置調整された位置及び水域内の船舶の対応する方向を示す。
【図２ｄ】図２ｄは船外機アセンブリの種々の位置調整された位置及び水域内の船舶の対応する方向を示す。
【図３】図３は本発明の一実施形態による船外機アセンブリの概略断面を示す図である。
【図４】図４は図３の船外機アセンブリの排気システムの概略断面を示す図である。
【図５】図５は本発明の一実施形態による排気システムの概略断面を示す図である。
【図６】図６は本発明の一実施形態による排気システムの概略断面を示す図である。
【発明を実施するための形態】
【００４４】
まず、図１を参照すると、船外機２を備えた船舶１の概略側面図が示されている。船舶１は、テンダーやスキューバダイビングボートなどの船外機と共に使用するのに適した任意の種類の船舶とすることができる。図１に示す船外機２は、船舶１の船尾部に取り付けられている。船外機２は、通常、船舶１の船体内に受け入れられている燃料タンク３に接続されている。リザーバ又はタンク３からの燃料は、燃料ライン４を介して船外機２に供給される。燃料ライン４は、燃料タンク３と船外機２との間に配置された、一括して配置された、１つ以上のフィルタと低圧ポンプと（船外機２に入る前に燃料から水蒸気を除去するための）蒸発器タンクを表しうる。
【００４５】
以下にさらに詳細に説明するように、船外機２は、概して、３つの部分、すなわち、上側部分２１と中間部分２２と下側部分２３に分割される。プロペラ８は、船外機２のギアボックスとしても知られる、下側部分２３におけるプロペラシャフト９上に回転可能に配置されている。当然、作動中、プロペラ８は、少なくとも部分的に水中に沈められ、船舶１を推進させるために、様々な回転速度で作動させることができる。
【００４６】
典型的には、船外機２は、ピボットピンによって船舶１の船尾部に回動可能に接続されている。このピボットピンの回りの回動によって、操作者が、公知の方法で、水平軸を中心として船外機を傾斜させて位置調整することを可能にする。さらに、当業界でよく知られているように、船外機２は、船舶１を操舵するためにほぼ直立した軸線を中心として回動可能なように、船舶１の船尾部に回動可能に取り付けられている。
【００４７】
傾斜動作とは、船外機２の全体を完全に水面から出るまで十分に船外機２を上昇させる動きである。船外機の傾斜動作は、船外機２の電源を切った状態又は中立状態で行うことができる。しかしながら、いくつかの例では、船外機２は、浅い海域での動作を可能にするように、傾斜範囲での船外機２の制限された運転を可能にするように構成されうる。従って、船外機は、主に、脚の長手軸線を実質的に垂直方向にして作動させられる。したがって、船外機の脚の長手軸線と実質的に平行である、船外機のエンジンのクランク軸は、船外機の通常の作動中では、一般に垂直方向に配向されるであろうが、特定の作動条件下で、特に浅い海域で船舶上で作動させられるとき、非垂直方向に配向されうる。船外機の脚の長手軸線に実質的に平行に配向されている船外機のクランク軸は、垂直クランク軸配置と呼ぶこともできる。船外機の脚の長手軸線に対して実質的に垂直に配向された船外機のクランク軸は、水平クランク軸配置と呼ぶこともできる。
【００４８】
前述したように、適切に作動させるためには、船外機２の下側部分２３及びプロペラ８が水中に延びる必要がある。しかし、極端に浅い海域では、あるいは、トレーラーからボートを進水させる際に、船外機２の下側部分が下方に傾斜した位置にある場合、船外機２の下側部分２３が海底で引きずられたり、ボートが傾斜したりすることがある。船外機２を傾斜させて図２ａに示す位置のように上方に傾斜した位置に傾けると、下側部分２３やプロペラ８の損傷を防ぐことができる。
【００４９】
対照的に、位置調整は、図２ｂ〜図２ｄの３つの例に示すように、完全に下降した位置から数度上向きに、比較的小さな範囲にわたって船外機２を移動させる機構である。位置調整は、対応する船舶１の燃費、加速、及び高速動作の最良の組合せを提供する方向にプロペラ８の推力を方向付けるのに役立つであろう。
【００５０】
船舶２が平面上にある場合（すなわち、船舶の重量が、静水揚力ではなく、流体力学的揚力によって主に支持されている場合）、船首上げ構成は、抗力が比較的少なく、比較的大きな安定性及び効率をもたらす。これは、例えば図２ｂに示すように、ボート又は船舶１の中心線が約３度〜５度で上向き傾斜した場合に一般的に当てはまる。
【００５１】
傾斜が多すぎると、図２ｃに示す位置などのように、水中でボートの船首が高すぎる状態になる。この形態では、船舶１の船体が水を押しており、その結果、より多くの空気抵抗が生じるので、性能と経済性は減少する。上方への傾斜が多すぎると、プロペラが通気し、性能がさらに低下することもある。さらに厳しい場合には、船舶１が水中で跳び、操作者と乗客をボード外に投げてしまう可能性がある。
【００５２】
下方に傾斜すると、船舶１の船首が下がり、立ち上がりからの加速に役立つ。図２ｄに示すように、下方への傾斜が多すぎると、ボートが水中を「かきわけ（plough）」、燃費が落ちて速度が上がりにくくなる。高速では、下方への傾斜により船舶１が不安定になることさえある。
【００５３】
図３を参照すると、本発明の一実施形態による排気システムを有する船外機アセンブリ２の概略断面が示されている。
【００５４】
船外機２は、前述した傾斜及び位置調整動作を行う傾斜及び位置調整機構７を備えている。この実施形態では、傾斜及び位置調整機構７は、電気制御システムを介して船外機２を傾斜させ位置調整するように作動させることができる流体圧アクチュエータ１３を有する。あるいは、図３に示す流体圧アクチュエータを使用するのではなく、操作者が手で船外機２を回動させる、手動の傾斜及びトリム機構を提供することも実現可能である。
【００５５】
前述したように、船外機２は、概ね３つの部分に分割されている。発動機としても知られる上側部分２１は、船舶１に動力を供給するための内燃機関３０を有する。発動機の上側部分２１又は発動機に隣接してその下方に延びている、中間部分２２が設けられている。下側部分２３は、中間部分２２に隣接してその下側に延在し、中間部分２２は、上側部分２１を下側部分２３に接続している。中間部分２２は、内燃機関３０とプロペラシャフト９との間に延びる駆動軸４１を収容している。通気防止プレート１１が、表面空気がプロペラ８の負圧側に吸い込まれるのを防止する。
【００５６】
中間部分２２及び下側部分２３は排気システム２４を形成し、この排気システムは、内燃機関３０のエンジン出口３１から下側部分２３に向かって排気ガスを輸送するための排気ガス流路を規定する。
【００５７】
具体的には、排気システム２４は、内燃機関３０のエンジン出口３１に連結された排気システム入口４０を有する。入口導管４２が、排気ガス流路に沿って排気システム入口４０のすぐ下流に延びている。導管４２の下流側端部は、チャンバ入口開口４５を介して排気ガス流路内に配置されたチャンバ４４内に流入する。チャンバ４４の下流側端部は、出口開口４６を介して下側部分２３と連結されている。
【００５８】
例示的な実施形態では、排気ガス入口開口４５を通る軸線方向の流れ方向は、排気ガス出口開口４６を通る軸線方向の流れ方向からオフセットされている。例示的な図示の実施形態では、入口導管４２は排気システム２４内に取り外し可能に取り付けられている。これにより、入口導管４２をメンテナンスのために取り外すことができ、また、入口導管４２を異なる材料から排気システム２４の残りの部分まで形成することができる。代替的な構成では、入口導管４２は排気システム２４と一体としうることが理解されるであろう。
【００５９】
排気システム２４は、プロペラ８を収容することに加えて、１つ以上の排気ガス出口を画定する。例示的な実施形態において、下側部分２３は、プロペラ駆動軸９に隣接する第１の排気出口３２を提供する。船舶１を推進するためにプロペラ８が内燃機関３０によって駆動される時、プロペラ８によって生成された負圧が、中間部分２２を通って第１の排気出口３２に向かって排気ガスを吸引する。この構成によって、大部分の排気ガスを第１の排気出口３２を通って水中で排出する。
【００６０】
追加の複数の排気ガス出口を設けることもでき、これら出口は、水位線の下方及び上方の両方に設けられうる。これにより、プロペラ排気出口３２を通って排出されない残りの排気ガスを船外機２から排出することができる。特に、追加の排気ガス出口を設けることにより、プロペラ８によって発生する負圧がない場合（すなわち、プロペラ８がアイドル状態の場合）に、排気ガスをより容易に船外機２から排出することができる。例示的な図示の実施形態では、第２の排気ガス出口３３が中間部分２２内に設けられている。図２ｂに例示されているように、船舶が平面上にあるとき、第２の排気ガス出口３３は、水位線の上方に位置するように配置される。
【００６１】
排気ガス流路は、排気システム入口４０から一つ以上の排気システム出口３２、３３へ延びる順流方向と、一つ以上の排気システム出口３２、３３の少なくとも１つから排気システム入口４０へ延びる逆流方向とを画定する。
【００６２】
上述したように、いくつかの例では、船外機２に当たる波によって生じる背圧により、排気ガス出口３２、３３を介して船外機２に水を導きうる。次に、これにより、内燃機関３０へ水を導きうる。その結果、内燃機関３０の失速をもたらす可能性がある。これは、過給機１５が内燃機関３０の下側の下流側端部により近く（すなわち、内燃機関の排気出口３１に近くかつ静止している水位の近くに）位置決めされているという状況では特に問題になることがある。これらの例では、特に、排気システム２４内の水の背圧及び逆流で、非常に高温の過給機を急速に冷却し、潜在的に過給機の構造的損傷を引き起こす可能性がある。このような問題を緩和又は最小化するために、排気システム２４は、排気ガス流路に沿って逆流方向に流れる液体の流れを制限するように構成される。具体的には、排気システム２４は、逆流方向に流れる液体の少なくとも一部を順流方向（すなわち、排気システム出口３２、３３のうちの少なくとも１つに向かって）に方向変更するように構成されており、これは、排気流路に沿って逆流方向に流れる液体のための曲がりくねった経路を作り出す。排気システム２４は、排気システム２４内を逆流方向に流れる液体を複数の細流に分割し、この複数の細流のうちの少なくとも１つの細流をこの複数の細流のうちの少なくとも１つの他の細流に向かって戻すように方向付けるように構成される。排気システムは、排気システム２４内に静止している（すなわち固定している）流れ方向変更構成を有しており、排気ガス流路に沿った液体の逆流を制限／方向変更するために、標準的な（可動式の）逆流防止弁は不要である。
【００６３】
図４を参照すると、排気システム２４が概略的に示されている。チャンバ４４には、排気ガス流路に沿って逆流方向に流れる液体を排気システム出口３２、３３の少なくとも１つに向かって方向変更するように構成された流れ方向変更構成が設けられている。
【００６４】
チャンバ４４、より具体的には、流れ方向変更構成は、排気システム入口４０に向かって流れる液体の流れを制限するための第１のチャンババッフル部材４８の形態のチャンバ流れ方向変更機能部を有する。図４に図示されるように、第１のチャンババッフル部材４８は、液体流の第１の細流（矢印Ａで示される）をバッフル部材４８の第１の側に流れさせ、液体流の第２の細流（矢印Ｂで示される）をバッフル部材４８の第２の側に流れさせるように働く。
【００６５】
例示的な図示の実施形態では、第１のチャンババッフル部材は、バッフルプレート４８である。バッフルプレート４８は、液体の流れＡをバッフルプレート４８に沿ってかつそれを通過するように案内し、液体の細流Ｂを、バッフルプレート４８へ接近中の液体の流れ方向に対して実質的に横方向にバッフルプレート４８から離れるように案内する。
【００６６】
当然のことながら、代替の構成では、任意の適切な形状のバッフル部材を使用してもよく、例えば、湾曲形状、三角形、丸形などとしうる。バッフル部材４８を設けることにより、いかなる可動部品も必要とせずに、チャンバ４４内の液体の逆流を制限する（すなわち、この制限構成は、排気システム２４に取り付けられるべき典型的な逆流防止弁を必要としない）。
【００６７】
例示的な図示の実施形態では、流れ方向変更構成は、第２チャンババッフル部材５０の形態の第２チャンバ流れ方向変更機能部を有する。第２チャンババッフル部材５０は、排気ガス経路に沿って逆流方向に流れる液体が、一つ以上の排気システム出口３２、３３のうちの少なくとも１つの出口の方へ方向変更させられるように構成される。
【００６８】
第２チャンババッフル部材５０は、チャンバ４４の第１の表面又は上側表面５２から離れて（すなわち、下方に）突出する。第１の表面５２は、入口開口４５を有している。第２のチャンババッフル部材５０は、入口導管４２の下流側の延長部を画定するように、入口導管４２の下流側の端部に隣接して位置決めされている。第２チャンババッフル部材５０は、入口導管４２と第１の表面５２との間で障壁を形成し、第１の表面５２に沿って入口開口４５を通る液体の流れを最小化する。
【００６９】
第２のチャンババッフル部材５０は、矢印Ａで示される液体の流れが凹み領域に流れ込むように（すなわち、入口開口４５から離れるように方向変更されるように）、第１のチャンバ表面５２上に凹み領域５４を効果的に形成する。したがって、バッフルプレート４８に沿って導かれた液体の流れは、凹み領域に案内され、この凹み領域は、逆流方向の液体の流れをさらに乱す。次いで、第２バッフル部材５０は、図４の矢印Ｃで示すように、液体の流れを排気ガス入口から離れる方向に案内する。従って、流体細流Ｃは、細流Ｂに向かって戻ってそれと衝突するように方向付けられる。この衝突で、液体の流れからのエネルギーの一部を消散させ、さらに逆流方向の流体流れを乱す。
【００７０】
図示されていないが、凹み領域５４は、実質的に曲面を画定しうる。凹状の曲面は、液体経路Ａのための滑らかな流路を作り出し、その結果、経路Ｃに沿った液体の速度がより大きくなる。流体細流Ｃの速度の増大によって、細流Ｂと細流Ｃの間の衝突で失われる液体の流れのエネルギーを増す。
【００７１】
例示的な図示の実施形態では、チャンバ４４は、第３チャンババッフル部材５６の形態のチャンバ流れ方向変更機能部も有する。第３チャンババッフル部材５６は、チャンバ４４の第２の表面５８又は下側の表面５８から離れて延在する突起として設けられる。第３チャンババッフル部材５６は、出口開口４６の周囲にチャネルを形成するように、第２の表面５８の出口開口４６に隣接して位置決めされている。液体が出口開口４６を介してチャンバ４４に入る時に、チャネルは逆流方向の流路に沿って流れる液体を第１のチャンババッフル部材４８に向かって案内する。この構成により、液体の流れの２つの細流又はいくつかの部分への分離を促進する。
【００７２】
３つの固定した又は静止したチャンババッフル部材の形態の流量制限手段を提供することで、例えば、標準的な逆流防止弁を必要としないような、いかなる可動部分も必要としない流れ方向変更構成を提供する。
【００７３】
本発明の例示的実施形態が、第１のチャンババッフル部材４８、第２のチャンババッフル部材５０及び第３のチャンババッフル部材５６を組み込むものとして説明されたが、代替的な構成では、これらのチャンババッフル部材４８、５０、５６のうちの１つ又は２つのいずれかが設けられうることが理解されるであろう。さらなる代替の構成では、チャンババッフル部材なしでチャンバを設けうる。
【００７４】
排気システム２４の入口導管４２には、入口導管に沿った逆流方向の液体の流れを制限し、そのような液体を一つ以上の排気システム出口３２、３３の内の少なくとも１つの方へ方向変更させるように構成された、導管流れ方向変更機能部が設けられている。更に、導管流れ方向変更機能部は、排気ガス流路に沿って船外機２の下側部分２１に向かって流れる排気ガスに実質的に抵抗を与えないように構成されている。通常の排気ガスの流れに障害物がないことを保証することで、排気システム２４内の圧力差を最小化する。
【００７５】
例示的な図示の実施形態では、導管流量制限機能部は、入口導管４２の内壁６０上に形成された導管流れ方向変更機能部として設けられている。
【００７６】
導管流れ方向変更機能部は、入口導管４２の対向する複数の内壁６０から離れて延在する複数の突起部６２の配列の形態で設けられている。具体的には、複数の突起部６２の配列は、入口導管４２の内壁６０から離れて実質的に順流方向に延在する。代替の構成では、複数の突起部６２の配列は、入口導管４２の単一の内壁６０上にのみ設けられうることが理解されよう。
【００７７】
例示的な図示の実施形態では、複数の突起部６２の配列は、入口導管４２の内面６０の実質的に全長にわたって延在する。代替的な構成では、複数の突起部６２の配列は、導管４２の長さの一部分にわたってのみ延在することができ、又は、単一対の対向する複数の突起６２のみを設けることができる。
【００７８】
導管流れ方向変更機能部は、導管４２内に固定されており、逆流を排気システム入口４０から離れるように方向変更するように構成される。図４の矢印Ｄによって図示されるように、入口導管４２に沿って逆流方向に流れる液体の少なくとも一部は、複数の突起６２の配列に遭遇する。これら突起部６２により、液体の流れの一部を、導管４２の中心に向かって、そして出口３２、３３に向かって、方向変更させる。方向変更された液体の流れは、複数の突起の配列を迂回した任意の液体流と衝突し、したがって、液体の流れのエネルギーを消散することが理解されよう。
【００７９】
排気システム２４は、チャンバ出口開口４６のすぐ下流に出口導管３６も有する。図示されていないが、出口導管３６は、出口導管流量制限構成を備えることができる。このような流れ方向変更構成は、本明細書に記載される上記の流れ方向変更機能部のいずれか又は全てを用いて設けることができることが理解されるであろう。例えば、出口導管３６は、複数の突起部の配列（入口導管４２の突起部６２と同様の方法で）、及び／又は、出口導管３６の１つ以上の内壁上の複数の凹部の配列、及び／又は、出口導管３６内に位置決めされた１つ以上のバッフルプレートを有しうる。
【００８０】
次に、図５を参照すると、本発明のさらなる実施形態による排気システム１２４が概略的に示されている。図３及び４に関連して接頭辞の「１」が付いた同様な特徴について、相違点のみを説明されている。
【００８１】
図５の実施形態では、チャンバ１４４には、第２のチャンババッフル部材が設けられず、代わりに、チャンバ１４４の第１の表面１５２が湾曲している。具体的には、第１の面１５２は、凹み領域１５４を形成するように凹状に湾曲している。湾曲した凹み領域は、凹み領域１５４内に流れる液体を入口開口１４５から離れるように方向変更する。
【００８２】
加えて、図示の構成では、チャンバ１４４は、また、第３のチャンババッフル部材を有しない。第３チャンババッフル部材を除去しつつ逆流方向の液体流制限を減少させると、排気流路に沿って流れる排気ガスの背圧を減少させることが見出されている。
【００８３】
排気システム１２４の入口導管１４２には、入口導管に沿った逆流方向の液体の流れ（すなわち、排気入口１４０に向かって流れる液体）を制限するように構成された流れ方向変更構成が設けられている。例示的な図示の実施形態では、流れ方向変更構成は、入口導管１４２の内壁１６０上に形成された導管流れ方向変更機能部を有する。導管流れ方向変更機能部は、入口導管１４２の側壁１６０内の複数の凹部１６４の配列の形態で設けられる。具体的には、複数の凹部１６４は、入口導管１４２の対向する複数の内壁１６０上に配列として設けられる。例示的な図示の実施形態では、複数の凹部１６４は、入口導管１４２の対向する複数の内壁１６０上に交互配列として設けられる。代替的な構成において、複数の凹部１６４の配列は、入口導管１４２の単一の内壁１６０上にのみ設けられうることが理解されよう。
【００８４】
例示的な図示の実施形態では、複数の凹部１６４の配列は、入口導管１４２の内面１６０の実質的に全長にわたって延在する。代替の構成では、複数の凹部の配列は、導管１４２の長さの一部分のみにわたって延在してもよく、又は、単一の凹部１６４のみが設けられうる。
【００８５】
導管流れ方向変更構成は、また、複数の導管バッフル部材１６６の配列の形態の導管流れ方向変更機能部を有する。複数の導管バッフル部材１６６は、導管１４２の長さにわたって配列状に設けられる。例示的な図示の実施形態では、導管バッフル部材１６６は、入口導管１４２の対向する複数の内壁１６０上に交互配列として設けられる。代替の構成では、複数のバッフル部材は、導管１４２の一部の上にのみ設けられてもよく、導管１４２の単一の内面１６０上にのみ設けられてもよく、又は、単一の導管バッフル部材１６６のみが設けられうる。
【００８６】
図４に関連して説明したように、図示はしないが、出口導管１３６は、本明細書に記載される構成のいずれかよる、突起部、及び／又は、凹部、及び／又は、バッフルプレートの形態の導管流量制限構成を備えうることが理解されるであろう。
【００８７】
次に、図６を参照すると、本発明のさらなる実施形態による排気システム２２４が概略的に示されている。図３及び４に関連して接頭辞の「２」が付いた同様な特徴について、相違点のみを説明されている。
【００８８】
図５の実施形態を関して説明した方法と同様の方法で、排気システム２２４は、第２又は第３のチャンババッフル部材を有しない。
【００８９】
チャンバ２４４の第１の表面２５２は、チャンバ２４４の第１の表面２５２内に凹み領域２５４を画定するように湾曲している。具体的には、第１の面２５２は凹状に湾曲している。凹状の曲面を設けることは、凹み領域２５４に流入する液体を入口開口２４５から離れるように案内／方向変更するように機能する。
【００９０】
排気システム２２４の入口導管２４２には、入口導管に沿った逆流方向の液体の流れ（すなわち、排気入口２４０に向かって流れる液体）を制限するように構成された流れ方向変更構成が設けられている。例示的な図示の実施形態では、導管流れ方向変更構成は、入口導管２４２の内壁２６０上に形成された導管流れ方向変更機能部を有する。導管流れ偏向機能部は、入口導管２４２の側壁２６０内に形成された複数の凹部２６４の配列の形態で設けられる。
【００９１】
例示的な図示の実施形態では、複数の凹部２６４の配列は、入口導管２４２の内面２６０の実質的に全長にわたって延在する。代替の構成では、複数の凹部２６４は、導管２４２の長さの一部分のみにわたって延在してもよく、又は、単一の凹部２６４のみが設けられうる。
【００９２】
図４に関連して説明したように、図示はしないが、出口導管２３６は、本明細書に記載される構成のいずれかによる、突起部、及び／又は、凹部、及び／又は、バッフルプレートの形態の流量制限構成を設けうることが理解されるであろう。
【００９３】
本発明は、１つ以上の好ましい実施形態を参照して上述されたが、添付の特許請求の範囲に規定される本発明の範囲から逸脱することなく、様々な変更又は修正を行いうることが理解されよう。
【００９４】
また、本発明は、以下の節に従って記載又は規定されうる。
１．船舶の燃焼機関のための排気システムであって、前記排気システムは、船舶の燃焼機関の排気ガス出口に連結されるように構成された排気システム入口と、一つ以上の排気システム出口と、を有し、前記排気システムは、前記排気システム入口から前記一つ以上の排気システム出口に延びる排気ガス流路を画定し、前記排気ガス流路は、前記排気システム入口から前記一つ以上の排気システム出口への順流方向と、前記一つ以上の排気システム出口の少なくとも１つから前記排気システム入口へ延びる逆流方向とを有し、排気システムは、液体の少なくとも一部を順流方向に方向変更させることによって、逆流方向に流れる液体の流れを制限するように構成された、少なくとも１つの流れ方向変更機能部を備える、排気システム。
２．前記排気システムは、前記排気システムに逆流方向に入る液体を、前記一つ以上の排気システム出口のうちの少なくとも１つの方へ方向変更させるように構成される、第１節に記載の排気システム。
３．前記排気システムは、前記排気システム内を逆流方向に流れる液体を複数の細流に分割し、前記複数の細流のうちの少なくとも１つの細流を前記複数の細流のうちの少なくとも１つの他の細流に向かって戻すように方向付けるように構成される、第１節又は第２節に記載の排気システム。
４．流量制限機能部が排気システム内で静止している、第１節〜第３節のいずれか一節に記載の排気システム。
５．前記排気システムは、前記排気ガス流路内に配置されたチャンバを備え、前記チャンバは、前記逆流方向に流れる液体を前記一つ以上の排気システム出口のうちの少なくとも１つの方へ方向変更させるように構成された前記少なくとも１つの流れ方向変更機能部を備える、第１節〜第４節のいずれか一節に記載の排気システム。
６．前記少なくとも１つの流れ方向変更機能部は、前記排気ガス流路に沿って逆流方向に流れる液体の流れを制限するように構成された第１のチャンババッフル部材を備える、第５節に記載の排気システム。
７．前記第１のチャンババッフル部材は、バッフルプレートである、第６節に記載の排気システム。
８．前記第１のチャンババッフル部材が、前記液体の流れの第１の部分を前記バッフルプレートの第１の側に流れさせ、前記液体の流れの第２部分を前記バッフルプレートの第２側に流れさせるように構成される、第６節又は第７節に記載の排気システム。
９．前記第１のチャンババッフル部材は、前記液体の流れの前記第１の部分が前記バッフル部材に沿ってこれを通過するように案内され、前記液体の流れの前記第２部分が、前記バッフル部材への接近時の液体の流れ方向に対して実質的に横方向に、前記バッフル部材から離れる方向に方向付けられるように構成される、第８節に記載の排気システム。
１０．前記少なくとも１つの流れ方向変更機能部は、逆流方向に流れる液体を前記１つ以上の排気システム出口のうちの少なくとも１つに向かって方向変更するように構成された第２のチャンババッフル部材を備える、第６節〜第９節のいずれか一節に記載の排気システム。
１１．前記チャンバが、排気ガス入口開口を画定する第１の表面を備え、前記第２のチャンババッフル部材が、前記排気ガス入口開口に隣接しかつ前記第１の表面から実質的に離れて延在する、第１０節に記載の排気システム。
１２．前記少なくとも１つの流れ方向変更機能部は、前記逆流方向に流れる液体を前記排気システム入口から離れるように方向変更するように構成された第３のチャンババッフル部材を備える、第６節〜第１１節のいずれか一節に記載の排気システム。
１３．前記チャンバが、その中に排気ガス出口開口を画定する第２の表面を備え、前記第３のバッフル部材が、前記排気ガス出口開口に隣接しかつ前記第２の表面から実質的に離れて延在する、第１２節に記載の排気システム。
１４．前記排気ガス入口開口を通る軸線方向流れ方向は、前記排気ガス出口開口を通る軸線方向流れ方向からオフセットされる、第１１節に従属する場合の第１３節に記載の排気システム。
１５．前記排気システムは、前記排気ガス流路の前記順流方向流れ方向に沿って前記排気システム入口の下流側にある入口導管を備え、前記入口導管は、前記排気ガス流路に沿って前記逆流方向に流れる液体が前記一つ以上の排気システム出口の少なくとも１つの方へ方向変更させられるように構成された、流量制限構成を備える、第１節〜第１４節のいずれか一節に記載の排気システム。
１６．前記流量制限構成は、前記排気ガス流路に沿って前記順流方向に流れる排気ガスに実質的に抵抗を与えないように構成される、第１５節に記載の排気システム。
１７．前記流量制限構成は、前記入口導管の内壁上に形成された流れ偏向機能部を備える、第１５節又は第１６節に記載の排気システム。
１８．前記流れ偏向機能部は、前記入口導管の前記内壁から離れて延在する複数の突起部の配列を有する、第１７節に記載の排気システム。
１９．前記複数の突起部の配列は、前記入口導管の前記内壁から順流方向に離れるように延在する、第１８節に記載の排気システム。
２０．前記複数の突起部の配列は、前記入口導管の対向する複数の内壁に設けられる、第１８節又は第１９節に記載の排気システム。
２１．前記複数の突起部の配列は、前記入口導管の内面の実質的に全長にわたって延在する、第１８節〜第２０節のいずれか一節に記載の排気システム。
２２．前記流量制限構成は、前記入口導管の側壁において複数の凹部の配列を備える、第１５節〜第２１節のいずれか一節に記載の排気システム。
２３．前記複数の凹部の配列は、前記入口導管の対向する複数の内壁上に設けられる、第２２節に記載の排気システム。
２４．前記複数の凹部の配列は、前記入口導管の前記内面の実質的に全長にわたって延在する、第２２節又は第２３節に記載の排気システム。
２５．少なくとも１つの入口導管バッフルプレートが前記入口導管内に設けられている、第１５節〜第２４節のいずれか一節に記載の排気システム。
２６．前記入口導管は、前記排気システム内に取り外し可能に取り付けられる、第１５節〜第２５節のいずれか一節に記載の排気システム。
２７．前記排気システムは、チャンバと、前記排気ガス流路の前記順流方向に沿って前記チャンバの下流側にある出口導管とを備え、前記出口導管は、前記排気ガス流路に沿って逆流方向に流れる液体が前記一つ以上の排気システム出口のうちの少なくとも１つの方へ方向変更させられるように構成された流量制限構成を備える、第１節〜第２６節のいずれか一節に記載の排気システム。
２８．前記出口導管の流量制限構成は、前記排気ガス流路に沿って前記順流方向に流れる排気ガスに実質的に抵抗を与えないように構成される、第２７節に記載の排気システム。
２９．前記流量制限構成は、前記出口導管の少なくとも１つの内壁に形成された流れ偏向機能部を備える、第２７節又は第２８節に記載の排気システム。
３０．前記流れ偏向機能部は、前記出口導管の前記内壁から離れて延在する複数の突起部の配列を有する、第２９節に記載の排気システム。
３１．前記複数の突起部の配列は、前記出口導管の内壁から順流方向に離れて延在する、第３０節に記載の排気システム。
３２．前記複数の突起部の配列は、前記出口導管の内面の実質的に全長にわたって延在する、第３０節又は第３１節に記載の排気システム。
３３．前記流量制限構成は、前記出口導管の少なくとも１つの側壁内の複数の凹部の配列を備える、第２７節〜第３２節のいずれか一節に記載の排気システム。
３４．前記複数の凹部の配列は、前記出口導管の内面の実質的に全長にわたって延在する、第３３節に記載の排気システム。
３５．少なくとも１つの出口導管バッフルプレートが前記出口導管内に設けられている、第２７節〜第３４節のいずれか一節に記載の排気システム。
３６．船舶用モータアセンブリであって、モータアセンブリは、排気ガス出口を画定する船舶用エンジンと、第１節〜第３５節のいずれか一節に記載の排気システムとを備え、前記排気システム入口が前記船舶用エンジンの前記排気ガス出口に連結されている、船舶用モータアセンブリ。
３７．第３６節に記載のモータアセンブリを備える船舶。
【図１】
2021523059.tif 000003
【図２ａ】
2021523059.tif 000004
【図２ｂ】
2021523059.tif 000005
【図２ｃ】
2021523059.tif 000006
【図２ｄ】
2021523059.tif 000007
【図３】
2021523059.tif 000008
【図４】
2021523059.tif 000009
【図５】
2021523059.tif 000010
【図６】
2021523059.tif 000011
【国際調査報告】
2021523059.tif 000012
2021523059.tif 000013